(57)【要約】【課題】  水彩絵の具を使用して油彩画様の重厚かつ立体感を持った仕上がりを得ることができる画用紙を得る。【解決手段】  水彩画用紙の厚さを１−５ｍｍとし、片表面に複数多数で不規則な、高低差が０．１−４ｍｍとなる凹凸を設けることで、紙の安定性と水彩画の油彩画風立体的描写を可能とする水彩画用紙となった。【選択図】図１
2009061764.tif 000002
【特許請求の範囲】
【請求項１】
製紙用繊維を用いて製造された水彩画用紙において、この用紙の表面に複数の不規則な凹凸部を設けたことを特徴とする水彩画用紙。
【請求項２】
前記複数の不規則な凹凸部は、０．１〜４．０ｍｍの高低差を有することを特徴とする請求項１記載の水彩画用紙。
【請求項３】
上記水彩画用紙は、１〜５ｍｍの厚みを有することを特徴とする請求項１または２記載の水彩画用紙。
【請求項４】
上記水彩画用紙は、非直線で自由な形状の縁部を持つことを特徴とする請求項１〜３のいずれか一項に記載の水彩画用紙。
【発明の詳細な説明】
【技術分野】
【０００１】  本発明は、水彩画を描く時に用いる画用紙の形状に関する新たな提案に関するものである。
【背景技術】
【０００２】  従来、水彩画を描く際には機械法にて製造された水彩画用紙が用いられ、その表面の凹凸は紙を漉くときの毛布のパターンによって、「細目（スムース）」「中目（ノット）」「荒目（ラフ）」に分類される。細目（スムース）は、製紙の抄紙行程のとき、熱を加えたロールを通すのでホットプレスとも呼ばれ、表面の凹凸が少なく滑らかで光沢があり、水の吸い込みが早いので筆のタッチが残りやすく、絵具の色は少し淡くなり、あっさりとした淡彩画や細密描写の作品に適している。「中目（ノット）」は、抄紙行程のとき、常温のロールを通すのでコールドプレスとも呼ばれ、その結果表面に凹凸ができ、紙は表面のくぼみに適度に絵具がたまり、すぐには乾かないので、ぼかしやにじみ効果が得られる。「荒目（ラフ）」は、表面の凹凸が大きく絵具がよくつくので発色がきれいで、風景画や大きい作品に向いている。これらいずれの表面凹凸も、１ｍｍ以下の細かな凹凸であり、平面的なのが特徴である。これに対して油絵画は、キャンバスに油絵の具を厚く塗着して盛り上げて立体的に描かれるが、キャンバスや油絵の具は高価で扱い難く、高度の熟練を必要とし、また乾燥に時間がかかるために、水彩画ほど手軽に描くことができない。
以下に先行技術文献を示す。
【特許文献１】特願平９−１０２５３６号公報    水性絵の具の水が速やかに紙の内部に吸収され、画線が滲まず、均一な発色性を持ち、毛羽立ちが起こりにくい安価な高級水彩紙を得るための製造方法に関する発明である。【特許文献２】特願平９−３６７３８０号公報    紙、不織布、織物、皮革、プラスチックフィルム等のシート状物に成る基剤の表面に接着剤と粒径が５００μｍ以下の顆粒を散布接着して、表面凹凸を有する図画用シートを得ることを目的とする発明である。
【発明の開示】
【発明が解決しようとする課題】
【０００３】  水彩画用紙には、水彩絵の具の水分を吸収するのに必要な厚みと、吸湿しても平板な当初の形状を保つために必要な形状安定性が求められ、絵の具の着色微粒子を固着させるのに必要な表面凹凸が求められる。従来の水彩画用紙は、一般の事務用紙や印刷用紙の４〜５倍の厚みを有しているが、１ｍｍ以下で薄くぺらぺらで、平面性を保つものではなく、木枠に釘で固定されていないため、油絵の具を厚く塗着することができず、油絵の具の乾燥後の安定した定着が得られない。また、従来の水彩画用紙では安価で扱いやすく、手軽に描けるという利点があるが、その表面の凹凸は粗くざらざらしているとはいえ、仕上がりが平面的で油絵のような立体感がないという弱点があった。
また、水彩画用紙には、水彩絵の具の希釈水を吸収する適度な吸水性が必要であるが、初心者向けには、水の吸収性を抑え、描き直しが可能なように、「吸い込み」「にじみ」「はじき」を調整するためのサイジング処理が行われる。吸い込みが弱く、はじき気味の紙は絵具の水分が紙の表面に載って乾くので良い発色が得られる。反対に吸い込みが強い紙は絵具が水分と一緒に紙の中に吸い込まれるので色は少し沈み気味となる。透明水彩画の独特の技法「色をしみ込ます技法＝ウオッシュ」「水分を多く含む絵の具を濃→淡にぼかす技法＝グラデーション」には吸い込みの弱い紙が適しているが、ウエットイン  ウエットのような「にじみ」を活かす技法には吸い込みの弱い紙を使うが、吸い込みの強い紙なら制作前に紙に水を引き、湿らせておくと良い。吸い込みの弱い紙は表面に水分が載っているので、絵具の乾燥が遅くなるのに対して、吸い込みの強い紙は水分が紙の芯へ入ってしまうので表面は早く水分がなくなり乾燥が早い。市販の水彩画用紙はこれらのサイズ効果を持たせるために、絵の具を滲ませないようにするための薬品（サイズ剤）が用いられたものが多い。しかし画家の作風や技法によって、意図的にサイズ剤を用いないものが用いられることもある。【０００４】  紙の抄造方法は一般に手漉法と機械法の２種類に分類される。手漉法は、水槽内に水で薄めた原料を「漉き桁」ですくいパルプを一定の厚さまで積み上げ紙にするという古代からある手法である。手漉法では、原料の繊維が混ぜ合わさった状態で漉き上げるため、繊維の絡みが強く、紙の伸縮が縦横均一であるという利点がある。また、手作業であるため辺縁や表面の不揃いさ等、手作りの風合いが得られる。また古紙を用いたリサイクル利用する際には、一般に広く知られているリサイクル法を利用して、漉き枠を用いることなく各家庭で作成することも可能である。しかしこれらの方法では、１枚ずつ手で漉き上げ、自然乾燥させるため効率が悪い。これに対して、工業用では一般に円網抄紙機や長網抄紙機などを使った機械漉法が用いられ、原料は大量の水で薄められ、１％以下の薄いパルプ液を抄紙機のヘッドボックス（フローボックス）からワイヤー上に均一に流出させ、ここで多量の水を脱水しながら紙層を形成する。機械漉法では、水で薄めた原料を機械により連続的に抄くため効率は良いが、水槽内で混ぜ合わせた原料の繊維が機械の進む方向に向いてしまい繊維の絡みが弱くなるため、紙に弱い方向（目）ができてしまうという欠点がある。【０００５】  そこで本発明は、水彩絵の具で立体感のある油絵風の水彩画を描くことができ、安価で軽い、表面凹凸の大きな水彩画用紙を得ることを目的とする。
【課題を解決するための手段】
【０００６】  この発明の水彩画用紙は、製紙用繊維を用いて製造された水彩画用紙において、この用紙の表面に複数の不規則な凹凸を設けたものである。ここでいう製紙用繊維とは、製紙用天然繊維等の天然繊維及び化学繊維を指す。製紙用天然繊維としては、赤松、黒松、エゾマツ、トドマツ、杉などの針葉樹、ブナ、カバ、シイノキなどの広葉樹等を主原料とした砕木パルプ、亜硝酸パルプ、クラフトパルプ、セミケミカルパルプ、ケミグランドパルプ等の木材パルプの他、コットンラグパルプ、リンターパルプなどのコットンパルプ、ケナフ、麻、竹、バガス、楮、三椏、葦、エスパルト等の非木材及びこれらを変性したパルプが挙げられる。また牛乳パックなどの古紙を用いた再生パルプも利用可能である。特に牛乳パックは、主要原料が主に針葉樹であるが、古紙が一切含まれていないバージンパルプから作られている為、良質な製紙原料となる。本発明においては、上記製紙用天然繊維に代えて、羊毛、絹等の動物繊維、ビスコースレーヨン、銅アンモニアレーヨン等の再生繊維、アセテート、トリアセテート等の半合成繊維、ナイロン、ポリエステル、アクリル、ビニロン、ポリ塩化ビニル、ビニリデン、ポリエチレン、ポリプロピレン、ポリウレタン等の合成繊維及びガラス繊維、炭素繊維等の無機繊維を任意の比率で配合して使用してもよい。
【発明の効果】
【０００７】  本発明の水彩画用紙は、パルプの原料または牛乳パックなどの古紙を用いて安価で軽い水彩画用紙を製作することができ、従来の水彩絵の具を使用して立体感があり重厚な質感を伴う水彩画を描くことができる。【０００８】  複数の不規則な凹部に適宜に絵の具がたまり、凸部にはよく絵の具がつき、発色がよくはっきりとしたコントラストと立体感を表現することができ、独特の風合い、絵肌（マチエール）が表現できる。【０００９】  また、本発明の水彩画用紙は、表面に複数の凹凸があるので、表面が簡単に曲がり難く、強度と表面安定性を有し、画表面の損傷や亀裂、浪打などを防ぐことができる。【００１０】また、縁部の形が直線でないので、出来上がった形のままで額縁にいれると、温かみがありやさしい印象に仕上がる。
【発明を実施するための最良の形態】
【００１１】実施の形態１．
図１は、この発明の実施の形態１を示す水彩画用紙の平面図である。図２は、図１のＡ−Ａ断面図である。図において、１０は水彩画用紙である。１は水彩画用紙１０の裏面部であり、ほぼ平面に形成されている。２，３は水彩画用紙１０の表面であり、２は凹部、３は凸部である。突部３は、凹部２より約０．１〜４ｍｍ突出しており、複数の不規則な凹凸部が形成されている。４は水彩画用紙１０の縁部であり、直線でなく、不規則な波形、非直線で自由な形状に形成されている。なお、水彩画用紙１０の厚さ（裏面部１から凸部３の上端面まで）は約１〜５ｍｍである。【００１２】  次に、水彩画用紙１０の製造方法の一例を、図３〜図１１に基づき説明する。先ず、図３に示す様に、例えば牛乳を飲み干した後の牛乳パック１１を切り開く。次に、図４に示す様に、大まかに複数個に細断する。【００１３】  次に、図５に示す様に、器１２に細断した紙１３と、お湯を入れて、紙１３が柔らかくなったら、両面のフィルムを剥がし取る。次に、図６に示す様に、紙１３だけになったものを、なるべく小さく（２ｃｍ位）ちぎる。【００１４】  次に、図７に示す様に、小さくちぎった紙１３と水をミキサー１４に入れて撹拌し、完全に液化したパルプ溶液を作る。次に、図８に示す様に、撹拌した溶液を目の細かいザル１５に移して水切りをすると、ザル１５の底にパルプ原料１６が残る。次に、図９に示す様に、ザル１５からパルプ原料１６を、平らなプラスチックトレー１７に移す。【００１５】  次に、図１０に示す様に、手で押しながらさらに多く含んだ水分を取るため、トレーを斜めにしながら水分を切る。厚みを均一にして、自分の好みの形に作る。例として、四角、丸、星、三角、ハート等の形に整えて乾燥させる。牛乳紙パック一箱で、ほぼ葉書大の水彩画用紙１０が出来る。【００１６】  次に、図１１に示す様に、乾燥した水彩画用紙１０をプラスチックトレーから外す。水彩画用紙１０の縁部４から３〜５ｃｍ位をヘラ１８ではがす。四方を同様にヘラ１８ではがしてから、プラスチックトレー１７を下に彎曲させれば水彩画用紙１０がきれいにはがれる。なお、この実施の形態１では、原料として牛乳パックを使用したが、原料として繊維の長いパルプまたはバージンパルプを使用してもよい。【００１７】実施の形態２．
図１２は、この発明の他の実施の形態を示す水彩画用紙の平面図である。図１３は、図１２のＢ−Ｂ断面図である。図１２において、実施の形態１と同様なるものは、同じ符号を付けて説明を省略する。２０は郵便用の水彩画用紙であり、実施の形態１で説明した水彩画用紙１０の裏面に、郵便葉書と同じ内容が印刷された葉書用紙２１が貼り付けられる。【００１８】  本発明においては、水彩画用紙に厚みと凹凸があり、絵を描き慣れた上級者にはサイズ剤を使用しないものが描きやすいが、初心者向けに上記のサイズ剤も適宜使用できる。サイズ剤には、酸性処方用のサイズ剤と中性処方用のサイズ剤に大別される。前者の例としては、強化ロジン型やエマルジョン型のロジン系サイズ剤があり、後者の例としては、アルキルケテンダイマーやアルケニル無水コハク酸などの反応性サイズ剤、樹脂型やポリマー型等のカチオン製サイズ剤、ワックスエマルジョン型サイズ剤、ロジン系中性サイズ剤等がある。サイズ剤を繊維に定着させるために硝酸バンドを用いると、紙そのものが酸性になってしまい、長期保存する間に紙を劣化させる可能性が大きい。本発明は、いずれのサイズ剤を使用しても製造できるが、中性処方用のサイズ剤を使用することが望ましい。【００１９】  本発明においては、要求性能を阻害しない範囲において、更にクレー、タルク、カオリン、炭酸カルシウム、酸化チタン等の無機顔料、ポリアクリルアミド系ポリマー、殿粉等の紙力増強剤、ロジン、パラフィンワックス、アルケニルコハク酸無水物、スチレンアクリル酸共重合体、メラニンホルマリン縮合物等の湿潤紙力増強剤を適宜付加することで、紙の裏抜け防止や伸縮性減少、強度補強を行うことができる。【００２０】  水彩画用紙は、一般にはナチュラルホワイトと言われる少しクリームがかった白色と、ピュアホワイトと言われる純白の紙が使われるが、不透明水彩絵具（ガッシュ）を使う時には色の着いた紙などを使う事がある。本発明においても、様々な染料を適宜付加して色画用紙とすることができる。【００２１】  本発明により製造される水彩画用紙は、［特許文献３］特願平９−１０２５３６号公報に記載されているものと同様な木材パルプを使用することができる。本発明に係る水彩画用紙は特に針葉樹などの長い繊維を主に用いると、凹凸があり強度のある上質な紙が得られる。【００２２】  円網抄紙法では、手漉き法を円筒形の金網を回転させて漉くため、紙の肌が手漉きに近く、厚い水彩紙ができるので高級美術用紙をつくる製紙法として用いられている。この製紙法は機械をあまり早く回すと繊維が機械の進む方向に向いてしまい、機械の速度を速める程、目ができやすいので、水彩紙を漉く時は、機械の進む速度を遅くして繊維がタテヨコに混ざった状態になるように漉くようにする（半機械漉）方法を用いるとよい。長網抄紙法では、回転している長い金網の上に紙の原料を流し高速で紙を漉く方法で、一般に印刷用紙や新聞用紙の製紙に用いられるが、美術用には厚みをつけるため、何層にも重ねる加工法を用いる。【００２３】  本発明では、紙にある一定以上の厚みと表面に凹凸を持たせることを目的としているため、製紙原料を水で薄める際に、１％以上の高濃度の原料を用いて、一般にこれらの機械に使用されているプレスは使用せず、厚みを調節するために、５ｍｍを越える部位に関してローラーで押さえる過程に留まることが望ましい。凹凸を設けたローラーを片面又は両面に付着させて凹凸をつけてもよい。また、抄紙行程に入る際に、原料のパルプを水で薄めることなく、塊状のパルプ団子とし、凹凸のあるプレスで厚さ１〜５ｍｍに押圧する方法を採ることもできる。【００２４】  本発明では、成紙又は抄紙機上の湿紙をエンボス処理してもよい。その際、表面の凹凸が高低差０．１〜４ｍｍとなるようにする。このような表面凹凸を設けることによって、キャンバスに描いたような風合いが得られ、作品に高級感、重厚感が増す。また、凹凸により表面積が大きくなるため、紙の単位面積あたりの絵の具の顔料の定着量が多くなり、見た目の発色が高くなる。具体的には、抄紙機上の紙または成紙に加水した湿紙に、ゴム、金属、合成樹脂等のエンボスロールで押圧処理する方法や、抄紙機上の湿紙に小波模様を形成したフェルトなどで押圧鋳型処理する方法等で行う。【００２５】  本発明では、パルプ液を乾燥させる時に、温風や熱を加えてもよい。【００２６】  本発明では、紙表面の毛羽立ちを少なくするため、顔料（石灰岩やカオリナイトクレーのような鉱物質の微粉末）や各種の水様性添加剤を含有する液を含浸、塗布してもよい。水様性添加剤としては、殿粉、セルロース誘導体、カゼイン、ポリビニルアルコール、アルギン酸ナトリウム、カルボキシ変性ポリビニルアルコール、アルギン酸ナトリウム、ポリアクリルアマイド、膠、ゼラチン等が挙げられる。装飾のため、金や銀粉、ラメの色紙などを混入したり、表面に貼布することもできる。【００２７】  本発明においては、紙の辺縁は自然の風合いを生かした非直線とし、紙の形状は、四角、円形、楕円形、星型、だるま型、葉型などさまざまな形態で作成することができる。【００２８】  本発明では、紙の裏面に紙、板、ビニール、プラスチック等を貼り付けることで、強度の補強を行うことができる。また、紙の中層（芯）に上記の素材や、段ボールに用いるような折り曲げた紙の構造を持たせることもできる。両面に当該紙を張り、両面に絵を描くこともできる。【００２９】  また、本発明においては、ハガキ絵として使用する目的で、裏に郵送用の印刷を施した平滑な紙を貼ることができる。また、表面に絵画の輪郭を印刷して、塗り絵用の画材として使用することもできる。
【図面の簡単な説明】
【００３０】
【図１】  この発明の実施形態１を示す水彩画用紙の平面図である。
【図２】  図１のＡ−Ａ断面図である。
【図３】  牛乳を飲み干した後の牛乳パックの展開図である。
【図４】  図３の牛乳パックを大まかに複数に細断した図である。
【図５】  図４の細断した紙を器に入れ、お湯を加えている図である。
【図６】  図５で柔らかくなった紙を細断した図である。
【図７】  図６で得た紙と水を用いてパルプ溶液を作る説明図である。
【図８】  図７で得たパルプ溶液を水切りしパルプ原料を得る説明図である。
【図９】  図８で得たパルプ原料を、平らなプラスチックトレーに移す説明図である。
【図１０】  図９のパルプ原料を、用手的に拡げて水彩画用紙にする説明図である。
【図１１】  （Ａ）  図１０の紙をプラスチックトレーから取りはずす図である。  （Ｂ）  図１１（Ａ）の側面図であり、水彩画用紙の縁部をヘラでプラスチックトレーからはがしている図である。  （Ｃ）  図１１（Ｂ）の如く水彩画用紙の縁部がはがれた状態でプラスチックトレーを曲げている図である。
【図１２】  この発明の実施形態２を示す水彩画用紙の平面図である。
【図１３】  図１２のＢ−Ｂ断面図である
【符号の説明】
【００３１】    １  水彩画用紙の裏面部、２  凹部、３  凸部、４  縁部、１０  水彩画用紙、１１  牛乳を飲み干した後の牛乳パック、１２  器、１３  細断した紙、１４  ミキサー、１５  ザル、１６  パルプ原料、１７  パルプ原料、１８  ヘラ、２０  郵便用の水彩画用紙、２１  裏面に葉書用紙が貼り付けられた水彩画用紙
【図１】
2009061764.tif 000003
【図２】
2009061764.tif 000004
【図３】
2009061764.tif 000005
【図４】
2009061764.tif 000006
【図５】
2009061764.tif 000007
【図６】
2009061764.tif 000008
【図７】
2009061764.tif 000009
【図８】
2009061764.tif 000010
【図９】
2009061764.tif 000011
【図１０】
2009061764.tif 000012
【図１１】
2009061764.tif 000013
【図１２】
2009061764.tif 000014
【図１３】
2009061764.tif 000015